(57)【要約】【課題】構成簡単で扉の開角度の調整を容易にする。【解決手段】扉２の内面上部にばね材からなるガイド部２３を水平にかつ取付位置可変に取り付け、ガイド部２３の長手方向に長孔２３ｂを設けるとともに、ストッパ孔２４ａを有するストッパ部２４を設け、ガイド部２３の長孔２３ｂにストッパ腕４の一端に設けられたピン５を摺動自在に設けるとともに、ストッパ腕４の他端を盤本体１に設けられた回動軸９に回動自在に連結する。そして、ストッパ腕４のピン５がストッパ部２４のストッパ孔２４ａに嵌合することにより扉２を係止する。【選択図】図１
2008280765.tif 000002
【特許請求の範囲】
【請求項１】
盤本体にヒンジ部を介して扉を回動自在に取り付けた盤の扉ストッパ構造において、扉の内面に水平に取付位置可変に設けられるとともに、長手方向に長孔が設けられ、かつストッパ孔を有するストッパ部が設けられたガイド部と、一端がピンを介してガイド部の長孔に摺動自在に設けられるとともに、他端が回動軸を介して盤本体に回動自在に連結されたストッパ腕とを備え、ストッパ腕のピンがストッパ部のストッパ孔に嵌合することにより扉の開度を制限するようにしたことを特徴とする盤の扉ストッパ構造。
【請求項２】
盤本体にヒンジ部を介して扉を回動自在に取り付けた盤の扉ストッパ構造において、扉の内面に水平に取り付けられるとともに、長手方向に長孔が設けられ、かつストッパ孔を有するストッパ部が長手方向の異なる位置に複数設けられたガイド部と、一端がピンを介してガイド部の長孔に摺動自在に設けられるとともに、他端が回動軸を介して盤本体に回動自在に連結されたストッパ腕とを備え、ストッパ腕のピンが各ストッパ部のストッパ孔に嵌合することにより扉の開度を制限するようにしたことを特徴とする盤の扉ストッパ構造。
【請求項３】
盤本体にヒンジ部を介して扉を回動自在に取り付けた盤の扉ストッパ構造において、扉の内面に水平に取り付けられるとともに、長手方向に平行に複数の長孔が設けられ、かつ複数のストッパ孔を有するストッパ部が設けられたガイド部と、一端がピンを介してガイド部の選択した一方の長孔に摺動自在に設けられるとともに、他端が回動軸を介して盤本体に回動自在に連結されたストッパ腕とを備え、ストッパ腕のピンがストッパ部の何れかのストッパ孔に嵌合することにより扉の開度を制限するようにしたことを特徴とする盤の扉ストッパ構造。
【発明の詳細な説明】
【技術分野】
【０００１】
この発明は、制御盤や配電盤等の盤の扉構造に関し、特にそのストッパ構造に関するものである。
【背景技術】
【０００２】
制御盤や配電盤等の盤においては、保守点検時に不用意に扉が閉められて作業者が負傷したりすることがないようにするために、また障害物があるので扉の開角度に制限を加える必要がある等のために、扉にストッパを設けることがある。
【０００３】
図４（ａ）〜（ｃ）は当社製の従来の盤の扉ストッパ構造の平面図、そのＡ−Ａ線矢視図及び側面図を示し、１は盤本体、２は盤本体１にヒンジ部（図示せず）を介して回動自在に設けられた扉、３は扉２の内面上部に水平に溶接され、長手方向に長孔３ａが設けられたガイド部である。４は一端が長孔３ａにピン５を介して摺動自在に設けられたストッパ腕、６は盤本体１の天井面付近に雄ねじ７及びナット８により取り付けられた取付金具であり、ストッパ腕４の他端は取付金具６に回動軸９を介して回動自在に連結される。又、ガイド部３の長孔３ａにはボルト１０、支え板１１、調整座１２及びナット１３を介してばね部材からなるストッパ１４が移動自在に取り付けられる。ストッパ１４及び支え板１１にはストッパ孔１５が設けられる。上記構成において、盤本体１、扉２及びストッパ腕４により回転すべり子機構からなるストッパ構造が形成される。即ち、扉２を大きく開くと、ピン５が長孔３ａを摺動してストッパ孔１５に嵌合し、それ以上扉２が開くのを防止する。
【０００４】
図５は従来の他の盤の扉ストッパ構造の斜視図を示し、扉１６はヒンジ部１７を介して盤本体１８に回動自在に設けられている。１９は盤本体１８の天井面に取り付けられた取付部、２０も扉１６の内面に取り付けられた取付部、２１は一端が取付部１９に回動自在に取り付けられたリンク、２２は一端が取付部２０に回動自在に取り付けられたリンクであり、リンク２１，２２の他端同士も相互に回動自在に連結される。上記構成において、盤本体１８、扉１６、リンク２１，２２により四つ棒機構からなるストッパ構造が形成され、リンク２１，２２が直線状になることにより、扉１６がそれ以上開くのを防止する。
【０００５】
図４に示したものは、長孔３ａに対するストッパ１４の取付位置を変えることにより扉２の開角度の調整が可能である。又、図５に示したものは開角度は１つであるが、開角度まで開いたことが扉１６のロック感により判り易い。
【０００６】
なお、この出願の発明に関連する先行技術文献情報としては、次のものがある。
【特許文献１】特開平２００４−１４０９０３号公報
【発明の開示】
【発明が解決しようとする課題】
【０００７】
図４に示したものは、開角度の設定は可能であるが、これは扉２に固定されたガイド部３の長孔３ａにロック部となるストッパ１４をスライドさせて開角度位置を定め、固定する方式である。そのため、実際に扉２を必要角度開き、その上でストッパ１４を長孔３ａに固定しなければならず、開角度の調整に手間を要した。又、ストッパ１４とその支え板１１とはボルト１０により共締めして固定しているが、この固定でストッパ１４の調子に差が出やすいため、調整が困難であった。例えば、ストッパ１４と支え板１１とにボルト１０を挿通するために設けられた丸孔とボルト１０との余裕分のずれが生じた。この結果、配電盤や制御盤が復数台ある場合には、扉２のストップ時の力の掛け具合に差が生じた。さらに、扉２をストッパ１４でロックする場合、ばね部材からなるストッパ１４は次第に硬くなり、扉２の動きが重くなり、ピン５がストッパ孔１５と嵌合しても操作者には判り難く、強く開ける操作をしてしまうことになった。
【０００８】
又、図５に示したものは、図４のようにばね部材でのロック方式ではなく、リンク２１，２２が直線状になったときに、リンク２１，２２はカチッと相互に嵌合し、扉１６は止まる。しかし、扉１６の開角度の調整はできず、設計時の角度となる。開角度を変えるためには、取付部１９，２０の取付孔を複数開けておき、取付部１９，２０の取付位置を変更する必要があり、実用上開角度の調整は不可能であった。
【０００９】
この発明は上記のような課題を解決するために成されたものであり、開角度の調整が容易であるとともに、構成が簡単な盤の扉ストッパ構造を得ることを目的とする。
【課題を解決するための手段】
【００１０】
この発明の請求項１に係る盤の扉ストッパ構造は、盤本体にヒンジ部を介して扉を回動自在に取り付けた盤の扉ストッパ構造において、扉の内面に水平に取付位置可変に設けられるとともに、長手方向に長孔が設けられ、かつストッパ孔を有するストッパ部が設けられたガイド部と、一端がピンを介してガイド部の長孔に摺動自在に設けられるとともに、他端が回動軸を介して盤本体に回動自在に連結されたストッパ腕とを備え、ストッパ腕のピンがストッパ部のストッパ孔に嵌合することにより扉の開度を制限するようにしたものである。
【００１１】
請求項２に係る盤の扉ストッパ構造は、盤本体にヒンジ部を介して扉を回動自在に取り付けた盤の扉ストッパ構造において、扉の内面に水平に取り付けられるとともに、長手方向に長孔が設けられ、かつストッパ孔を有するストッパ部が長手方向の異なる位置に複数設けられたガイド部と、一端がピンを介してガイド部の長孔に摺動自在に設けられるとともに、他端が回動軸を介して盤本体に回動自在に連結されたストッパ腕とを備え、ストッパ腕のピンが各ストッパ部のストッパ孔に嵌合することにより扉の開度を制限するようにしたものである。
【００１２】
請求項３に係る盤のストッパ構造は、盤本体にヒンジ部を介して扉を回動自在に取り付けた盤の扉ストッパ構造において、扉の内面に水平に取り付けられるとともに、長手方向に平行に複数の長孔が設けられ、かつ複数のストッパ孔を有するストッパ部が設けられたガイド部と、一端がピンを介してガイド部の選択した一方の長孔に摺動自在に設けられるとともに、他端が回動軸を介して盤本体に回動自在に連結されたストッパ腕とを備え、ストッパ腕のピンがストッパ部の何れかのストッパ孔に嵌合することにより扉の開度を制限するようにしたものである。
【発明の効果】
【００１３】
以上のようにこの発明の請求項１によれば、ガイド部にストッパ部を一体に設けたので、構成簡単で、部品点数が少なく、組立容易で安価にすることができる。又、扉の開角度の調整はストッパ部の取付位置を変更することにより行われるので、扉の開角度の調整が容易となる。
【００１４】
請求項２によれば、ガイド部の長手方向の異なる位置に複数のストッパ部を設けたので、簡単安価な構成で、扉の開角度の調整を容易に行うことができる。
【００１５】
請求項３によれば、ガイド部の長手方向に平行に複数の長孔を設けるとともに、複数のストッパ孔を有するストッパ部を一体に設けたので、ガイド部の一方の長孔にストッパ腕のピンを摺動自在に設けることにより、構成を簡単安価にすることができるとともに、扉の開角度の調整ができ、かつストッパ部のばね圧効果がストッパ孔により異なるので、扉の大きさに応じてガイド部の長孔を使い分けることができる。
【発明を実施するための最良の形態】
【００１６】
実施最良形態１
以下、この発明を実施するための最良の形態を図面とともに説明する。図１（ａ）〜（ｃ）はこの発明の実施最良形態１による盤の扉ストッパ構造の要部の平面図、正面図及び側面図を示し、盤本体１にヒンジ部を介して扉２を回動自在に取り付ける。２３は扉２の内面上部に水平に取り付けられたガイド部であり、ステンレスまたはばね材により形成し、取付孔２３ａは取付位置を可変とするために複数設ける。又、ガイド部２３にはその長手方向に長孔２３ｂを設けるとともに、ストッパ孔２４ａを有するストッパ部２４を設ける。２４ｂはストッパ部２４のピン５側に設けられたピン５の呼び込み部である。又、４は一端が長孔２３ｂにピン５、座金２５及びスナップピン２６を介して摺動自在に設けられたストッパ腕、６は盤本体１の天井面付近に取り付けられた取付金具であり、ストッパ腕４の他端は取付金具６に回動軸９を介して回動自在に連結される。
【００１７】
上記構成において、扉２を大きく開くと、ピン５が長孔２３ｂを摺動し、ストッパ部２４のストッパ孔２４ａに嵌合し、扉２をその位置に係止し、扉２がそれ以上開くのを防止する。
【００１８】
実施最良形態１においては、ガイド部２３にストッパ部２４を一体に形成しており、部品点数を少なくして安価にすることができる。又、組立部品が少ないので、組立工数も少なく、工数が削減される。さらに、扉２の開角度の調整は、ガイド部２３の取付孔２３ａを複数設け、ガイド部２３の取付位置を変更することにより行われるので、開角度の調整は容易である。
【００１９】
実施最良形態２
図２（ａ）〜（ｃ）は実施最良形態２による盤の扉ストッパ構造の要部の平面図、正面図及び側面図を示し、２７は扉２の内面上部に水平に取り付けられたガイド部であり、ステンレスまたはばね材により形成し、２７ａはその取付孔であり、ガイド部２７の長手方向には長孔２７ｂが設けられ、かつ長手方向の異なる位置にストッパ部２８、２９が一体に設けられ、ストッパ部２８，２９はそれぞれストッパ孔２８ａ，２９ａを有する。ストッパ部２８，２９は例えば扉２の開角度９０度用及び１２０度用である。ストッパ部２８はその長手方向両側にピン５の呼び込み部が設けられ、ストッパ部２９はピン５側にのみピン５の呼び込み部が設けられる。ストッパ腕４及びその他の構成は実施最良形態１と同様である。
【００２０】
上記構成において、扉２を開角度９０度まで開くと、ストッパ腕４のピン５は長孔２７ｂを摺動し、ストッパ部２８のストッパ孔２８ａと嵌合し、扉２を開角度９０度で係止する。又、扉２を１２０度まで開くと、ピン５はストッパ部２９のストッパ孔２９ａと嵌合し、扉２を開角度１２０度で係止する。
【００２１】
実施最良形態２においては、ガイド部２７はその長手方向の異なる位置に複数のストッパ部２８，２９を設けており、簡単安価な構成で扉２を複数の開角度で係止することができる。
【００２２】
実施最良形態３
図３は実施最良形態３による盤の扉ストッパ構造の要部の縦断側面図（図２（ｂ）のＡ−Ａ線矢視断面図に相当）であり、３０は扉２の内面上部に水平に取り付けられたガイド部であり、ステンレス又はばね材により形成され、長手方向に平行に複数の長孔３０ａ，３０ｂが設けられ、かつ複数のストッパ孔３１ａ，３１ｂを有するストッパ部３１が一体に設けられる。ストッパ腕４のピン５はガイド部３０の長孔３０ａ，３０ｂの内選択した一方の長孔と摺動自在に設ける。その他の構成は実施最良形態１と同様である。
【００２３】
実施最良形態３においては、ストッパ腕４のピン５をガイド部３０の長孔３０ａ，３０ｂのどちらかに摺動自在に設けることができ、扉２の開角度を多少変更することができる。又、ストッパ部３１のストッパ孔３１ａ，３１ｂではばね圧効果が異なるので、扉２の大きさに応じてガイド部３０の長孔３０ａ，３０ｂを使い分けることができる。さらに、ストッパ部３１をガイド部３０と一体に設けたので、構成を簡単安価にすることができる。
【図面の簡単な説明】
【００２４】
【図１】この発明の実施最良形態１による盤の扉ストッパ構造の要部の平面図、正面図及び側面図である。
【図２】実施最良形態２による盤の扉ストッパ構造の要部の平面図、正面図及び側面図である。
【図３】実施最良形態３による盤の扉ストッパ構造の要部の縦断側面図である。
【図４】従来の盤の扉ストッパ構造の平面図、そのＡ−Ａ線矢視図及び側面図である。
【図５】他の従来の盤の扉ストッパ構造の斜視図である。
【符号の説明】
【００２５】
１…盤本体
２…扉
４…ストッパ腕
５…ピン
６…取付金具
９…回動軸
１７…ヒンジ部
２３，２７，３０…ガイド部
２３ａ…取付孔
２３ｂ，２７ｂ，３０ａ，３０ｂ…長孔
２４，２８，２９，３１…ストッパ部
２４ａ，２８ａ，２９ａ，３１ａ，３１ｂ…ストッパ孔
【図１】
2008280765.tif 000003
【図２】
2008280765.tif 000004
【図３】
2008280765.tif 000005
【図４】
2008280765.tif 000006
【図５】
2008280765.tif 000007